(57)【要約】【課題】紙幣を１枚づつすばやく正確に引き出すことができ、遊技中にあっても紙幣の盗難事故に遭遇する不安感のない遊技機用の紙幣ホルダーを提供する。【解決手段】一定長さ（Ｌ）の金属帯板（Ｍ）を、その遊技機（Ａ）への取付け部（２）となる切り離し基端側から切り離し先端側に向かって、約１周回分だけ渦巻き状に巻き曲げることにより、その巻き曲げ途中と切り離し先端側とのオーバーラップ部分が紙幣差し入れ口（４）となる渦型室（３）を形作り、上記紙幣差し入れ口（４）から渦型室（３）内へ差し入れた紙幣（Ｐ）を、その自づと巻き戻る復元張力によって渦型室（３）の内周面へ仮り止め保持するように定めた。【選択図】  図９
2004187960.tif 000002
【特許請求の範囲】
【請求項１】
一定長さ（Ｌ）の金属帯板（Ｍ）を、その遊技機（Ａ）への取付け部（２）となる切り離し基端側から切り離し先端側に向かって、約１周回分だけ渦巻き状に巻き曲げることにより、その巻き曲げ途中と切り離し先端側とのオーバーラップ部分が紙幣差し入れ口（４）となる渦型室（３）を形作り、
上記紙幣差し入れ口（４）から渦型室（３）内へ差し入れた紙幣（Ｐ）を、その自づと巻き戻る復元張力によって渦型室（３）の内周面へ仮り止め保持するように定めたことを特徴とする遊技機用の紙幣ホルダー。
【請求項２】
遊技機（Ａ）への取付け部（２）となる基端側から先端側に向かって、約１周回分だけ連続的に渦巻くと共に、その渦巻く途中と先端側とのオーバーラップ部分が紙幣差し入れ口（４）となる渦型室（３）を、合成樹脂から一体成形し、
上記紙幣差し入れ口（４）から渦型室（３）内へ差し入れた紙幣（Ｐ）を、その自づと巻き戻る復元張力によって渦型室（３）の内周面へ仮り止め保持するように定めたことを特徴とする遊技機用の紙幣ホルダー。
【請求項３】
一定長さ（Ｌ）の金属又は合成樹脂から成る線材（Ｃ）を、その遊技機（Ａ）への取付け部（２）となる中間から倒立Ｕ字型に半折りして、その一対のほぼ平行な切り離し先端側を引続き約１周回分だけ渦巻き状に巻き曲げることにより、その巻き曲げ途中と切り離し先端側とのオーバーラップ部分が何れも紙幣差し入れ口（４ｆ）（４ｒ）となる対称な渦型室（３ｆ）（３ｒ）を形作り、
上記紙幣差し入れ口（４ｆ）（４ｒ）から渦型室（３ｆ）（３ｒ）内へ差し入れた紙幣（Ｐ）を、その自づと巻き戻る復元張力によって渦型室（３ｆ）（３ｒ）の内周面へ仮り止め保持するように定めたことを特徴とする遊技機用の紙幣ホルダー。
【請求項４】
遊技機（Ａ）への取付け部（２）を備えた合成樹脂又は軽合金の成形ブロック（Ｂ）に、その紙幣差し入れ口（４）から内奥部に向かって約１周回分だけ渦巻く形態の渦型室（３）を穿設し、
上記紙幣差し入れ口（４）から渦型室（３）内へ差し入れた紙幣（Ｐ）を、その自づと巻き戻る復元張力によって渦型室（３）の内周面へ仮り止め保持するように定めたことを特徴とする遊技機用の紙幣ホルダー。
【請求項５】
遊技機（Ａ）への取付け部（２）を紙幣差し入れ口（４）が上向く姿勢状態として、両面接着テープ（８）や吸着盤（１２）、ビス（１３）、マグネット（１４）、その他の固定具により、遊技機（Ａ）の前壁面（９）へ後付け使用するように定めたことを特徴とする請求項１、２、３又は４記載の遊技機用の紙幣ホルダー。
【請求項６】
遊技機（Ａ）への取付け部（２）を断面ほぼ倒立Ｕ字型のハンガーフック（１５）として、遊技機（Ａ）の前壁面（９）に形成した受け入れスリット（１６）内へ、差し込み係止させるように定めたことを特徴とする請求項１、２、３又は４記載の遊技機用の紙幣ホルダー。
【請求項７】
遊技機（Ａ）への取付け部（２）を紙幣差し入れ口（４）が前向く姿勢状態として、両面接着テープ（８）や吸着盤（１２）、ビス（１３）、マグネット（１４）、その他の固定具により、遊技機（Ａ）の前壁面（９）へ後付け使用するように定めたことを特徴とする請求項４記載の遊技機用の紙幣ホルダー。
【請求項８】
成形ブロック（Ｂ）の全体又はその遊技機（Ａ）への取付け部（２）を紙幣差し入れ口（４）が前向く姿勢状態として、遊技機（Ａ）の前壁面（９）へ離脱不能に埋め込み一体化させたことを特徴とする請求項４記載の遊技機用の紙幣ホルダー。
【発明の詳細な説明】
【０００１】
【発明の属する技術分野】
本発明はスロットマシンやパチンコ機などの遊技機に取り付け使用して便利な紙幣ホルダーに関する。
【０００２】
【従来の技術】
例えば、スロットマシンの遊技を行なっている際中には、両替え専用の１０００円札を使って、遊技用メダルを追加購入する必要性が頻繁に起る処、そのたび毎に携帯している財布から、上記紙幣を一々取り出すことは甚だ面倒であり、メダル獲得の入賞チャンスを逃がしてしまうことにもなる。
【０００３】
そのため、遊技者としては已むを得ず、スロットマシンのメダル受け皿へ紙幣を載置させたり、或いはスロットマシンの前壁面とメダル投入口金との向かい合う相互間に介在する僅かな空隙へ、無理に紙幣を差し込んだりして、遊技を行なっている通例である。
【０００４】
更に言えば、ワニ口の開閉式紙幣クリップをスロットマシンの前壁面へ貼り付け使用することにより、遊技者の便宜に供している遊技ホールも見受けられる。
【０００５】
【発明が解決しようとする課題】
ところが、先ず上記メダル受け皿へ紙幣を載置させる方法では、そのメダル受け皿がスロットマシンの最下端部に存在する関係上、遊技中の視界に入らず、紙幣の盗難事故に遭遇する不安感があるため、遊技者にとって遊技に神経を集中することができない。
【０００６】
次に、スロットマシンに存在する僅かな上記空隙へ、紙幣を無理に差し込んでおく方法の場合、遊技中の視界に入り安心ではあるが、紙幣の枚数に制約を受けるばかりでなく、その１枚づつをすばやく正確に引き出すことができず、必らずや全部の紙幣が一挙に引き出されてしまって、遊技者の足元周辺へ散乱する結果となる。
【０００７】
更に、上記紙幣クリップによって紙幣を挟む方法では、その枚数に制約を受けず、安心でもあるが、遊技者としては片手でワニ口を開放操作し乍ら、残る片手で紙幣を引き出さなければならず、その使用上両手を使う必要があるため、未だ非常に煩らわしい。しかも、その際に紙幣の１枚づつをすばやく正確に引き出すことは不可能であり、やはり全部の紙幣が一挙に引き出されてしまうこととなる。
【０００８】
【課題を解決するための手段】
本発明はこのような課題の改良を企図しており、そのために便利な遊技機用の紙幣ホルダーとして、その構成上第１に一定長さの金属帯板を、その遊技機への取付け部となる切り離し基端側から切り離し先端側に向かって、約１周回分だけ渦巻き状に巻き曲げることにより、その巻き曲げ途中と切り離し先端側とのオーバーラップ部分が紙幣差し入れ口となる渦型室を形作り、
【０００９】
上記紙幣差し入れ口から渦型室内へ差し入れた紙幣を、その自づと巻き戻る復元張力によって渦型室の内周面へ仮り止め保持するように定めたことを特徴とし、
【００１０】
第２に、遊技機への取付け部となる基端側から先端側に向かって、約１周回分だけ連続的に渦巻くと共に、その渦巻く途中と先端側とのオーバーラップ部分が紙幣差し入れ口となる渦型室を、合成樹脂から一体成形し、
【００１１】
上記紙幣差し入れ口から渦型室内へ差し入れた紙幣を、その自づと巻き戻る復元張力によって渦型室の内周面へ仮り止め保持するように定めたことを特徴とし、
【００１２】
又、第３に一定長さの金属又は合成樹脂から成る線材を、その遊技機への取付け部となる中間から倒立Ｕ字型に半折りして、その一対のほぼ平行な切り離し先端側を引続き約１周回分だけ渦巻き状に巻き曲げることにより、その巻き曲げ途中と切り離し先端側とのオーバーラップ部分が何れも紙幣差し入れ口となる対称な渦型室を形作り、
【００１３】
上記紙幣差し入れ口から渦型室内へ差し入れた紙幣を、その自づと巻き戻る復元張力によって渦型室の内周面へ仮り止め保持するように定めたことを特徴とし、
【００１４】
更に、第４に遊技機への取付け部を備えた合成樹脂又は軽合金の成形ブロックに、その紙幣差し入れ口から内奥部に向かって約１周回分だけ渦巻く形態の渦型室を穿設し、
【００１５】
上記紙幣差し入れ口から渦型室内へ差し入れた紙幣を、その自づと巻き戻る復元張力によって渦型室の内周面へ仮り止め保持するように定めたことを特徴とするものである。
【００１６】
【発明の実施の形態】
以下、図面に基いて本発明の具体的構成を詳述すると、先ず図１〜１０は本発明の第１実施形態に係る言わば雄型の紙幣ホルダーと、その使用状態を示している。
【００１７】
その紙幣ホルダー（１）は一定の長さ（Ｌ）（例えば約１２０mm）と幅（Ｗ）（例えば約３５mm）並びに厚み（Ｔ）（例えば約０．５mm）を有するステンレス鋼板やその他の金属帯板（Ｍ）から成り、これが図２のような側面から見た時、そのスロットマシンやパチンコ機などの遊技機（Ａ）に対する取付け部（２）となる切り離し基端側から、残余の切り離し先端側に向かって約１周回分だけ連続的な渦巻き状に巻き曲げられることによって、渦型室（３）を形作っている。
【００１８】
しかも、その巻き曲げ途中と上記切り離し先端側との一定長さ分だけオーバーラップする部分は互いに密着することなく、上記渦型室（３）への紙幣差し入れ口（４）として、一定の奥行（Ｓ）を保つ開口状態にある。
【００１９】
図示実施形態の場合一例として、そのオーバーラップ部分での径大な円弧面（５ａ）は約２０mmの曲率半径（Ｒ１）を備え、同じく径小な円弧面（５ｂ）は約１５mmの曲率半径（Ｒ２）を有することにより、上記紙幣差し入れ口（４）の奥行（Ｓ）が約５mmとして確保されている。
【００２０】
又、上記金属帯板（Ｍ）の切り離し基端側を占める遊技機（Ａ）への取付け部（２）は、例えば約３５mmの一定長さ分だけ側面視のストレートに延在しており、これを除く残余の一定長さ分（例えば約８５mm）が、上記した渦型室（３）として巻き曲げられているわけである。
【００２１】
図３、４から明白なように、上記渦型室（３）への紙幣差し入れ口（４）はストレートな取付け部（２）と、その渦型室（３）の径小な円弧面（５ｂ）によって、徐々に外向き拡開する形態をなすため、ここから紙幣（Ｐ）の所望枚数を極めて円滑に差し入れ、又は引き出すことができる。
【００２２】
図５、６は上記金属帯板（Ｍ）の展開状態を示しており、これから本発明の紙幣ホルダー（１）を作成する方法としては、例えばその金属帯板（Ｍ）の切り離し先端側に開口形成したピン受け入れ孔（６）へ、巻き曲げ用芯ロールの円周面から一体的に植立するピン（図示省略）を、抜き差し自在に差し込み係止した上、その芯ロールを回転させることによって、上記した約１周回分だけ連続的な渦巻き状に巻き曲げ加工すれば良い。（７）はその巻き曲げ加工時のピン逃し入れ長孔であり、上記ピン受け入れ孔（６）と同じく金属帯板（Ｍ）の長手中心線（Ｙ−Ｙ）上に切り欠かれている。
【００２３】
更に、（８）は上記紙幣ホルダー（１）の取付け部（２）へ裏当て一体化された両面接着テープであり、これによって紙幣ホルダー（１）をスロットマシンやパチンコ機などの遊技機（Ａ）における前壁面（９）へ、就中その前壁面（９）の好ましくはメダル投入口（１０）や遊技用操作レバー（１１）の周辺位置へ、図７、８のように取り付け固定する。
【００２４】
そして、遊技者がこのような紙幣ホルダー（１）を利用して、上記紙幣差し入れ口（４）から適当な枚数の紙幣（Ｐ）を差し入れると、その紙幣（Ｐ）は渦型室（３）内へ進行するに連れて、図９、１０のような渦巻き状に巻き曲げられ、その自づと巻き戻ろうとする復元張力によって、渦型室（３）の内周面へ圧着状態に仮り止め保持されることとなり、紙幣ホルダー（１）から脱落するおそれがない。
【００２５】
この点、図７、８では紙幣ホルダー（１）が遊技者の目線よりも下方位置に取り付け固定されている関係上、その紙幣ホルダー（１）の紙幣差し入れ口（４）を上向く姿勢状態として、ここから紙幣（Ｐ）を引き出しやすく定めているが、上記のように紙幣（Ｐ）の脱落するおそれはないため、紙幣ホルダー（１）をその紙幣差し入れ口（４）の横向きや下向き、斜め向きの姿勢状態として、遊技機（Ａ）の前壁面（９）へ取り付け固定することも可能である。
【００２６】
何れにしても、図９、１０のような複数枚の札束として仮り止め保持された状態にある紙幣（Ｐ）のうち、その最も径大に巻き曲げられた外側の紙幣（Ｐ１）を引き出すと、これに残余の紙幣（Ｐ）も一緒に付随して、その紙幣（Ｐ）の全部が一挙に引き出されてしまうことになる。上記渦型室（３）の内周面に対する圧着力が、その根底から人為的に解除されるからである。
【００２７】
これに反して、最も径小に巻き曲げられた内側の紙幣（Ｐ２）を引き出すと、これに残余の紙幣（Ｐ）が付随して引き出されてしまうおそれはなく、その残余の紙幣（Ｐ）は依然として渦型室（３）の内周面に対する圧着状態を保つため、最も径小な内側の紙幣（Ｐ２）から順次１枚づつ滑らかに剥離する如く、正確にすばやく引き出すことができる。
【００２８】
特に、紙幣（Ｐ）の複数枚をその先端の均一に揃った札束として差し入れた場合には、残る末端が最も外側に位置する紙幣（Ｐ１）から最も内側に位置する紙幣（Ｐ２）へと、順次長く変化した整列状態として派出することになるため、その１枚づつの確実な引き出しに役立ち、著しく便利である。
【００２９】
又、その最も内側から紙幣（Ｐ）を追加的に差し入れることもでき、その差し入れや引き出しは片手の指先によって行なえ、紙幣（Ｐ）が見苦しく折れ曲がったり、皺寄ったりするおそれもない。
【００３０】
次に、図１１は本発明の第２実施形態に係る雄型の紙幣ホルダー（１）を示しており、これは金属帯板（Ｍ）から巻き曲げ加工する代りに、合成樹脂からの一体成形品として、上記第１実施形態の図３と同じ側面形状に造形されている。
【００３１】
つまり、側面から見た時、やはり遊技機（Ａ）への取付け部（２）となる基端側から先端側に向かって、約１周回分だけ連続的に渦巻く形態の渦型室（３）が屈曲形成されており、しかもその渦型室（３）における先端側と途中との一定長さ分だけオーバーラップする部分が、一定の奥行（Ｓ）を保つ紙幣差し入れ口（４）として、上記渦型室（３）と連通開口されているのである。
【００３２】
このような第２実施形態の紙幣ホルダー（１）は合成樹脂からの射出成形のみならず、その押出成形後一定幅（Ｗ）にカットすることによっても作成することができ、その合成樹脂に希望の着色カラーを与えることも可能である。その他の構成と使用法は上記第１実施形態と実質的に同一であるため、その図１１に図１〜１０との対応符号を記入するにとどめて、その詳細な説明を省略する。
【００３３】
図１〜１１の上記第１、２実施形態では両面接着テープ（８）を用いて、その紙幣ホルダー（１）の取付け部（２）を遊技機（Ａ）へ取り付け固定しているが、図１２〜１４の各種部分変形実施形態に示す如く、その両面接着テープ（８）に代る吸着盤（１２）やビス（１３）、マグネット（１４）、その他の固定具を用いて、上記紙幣ホルダー（１）の取付け部（２）を遊技機（Ａ）の前壁面（９）へ取り付け固定しても良い。
【００３４】
又、これらの別個な固定具も省略して、その代りに紙幣ホルダー（１）の取付け部（２）を、図１５の部分変形実施形態に示すような断面ほぼ倒立Ｕ字型のハンガーフック（１５）として折り曲げ、そのハンガーフック（１５）を遊技機（Ａ）の前壁面（９）に対応形成した受け入れスリット（１６）へ、上方から吊り掛ける如く差し込み係止させてもさしつかえない。
【００３５】
そして、上記した何れの取り付け固定手段を採用する場合にも、図１４、１５から併せて示唆されるように、その紙幣ホルダー（１）の紙幣差し入れ口（４）を遊技機（Ａ）の前壁面（９）から、一定の間隔（Ｆ）だけ前方へ張り出す設置状態に保つことにより、その紙幣（Ｐ）の差し入れや引き出しを容易・円滑に行なえるように定めることが望ましい。
【００３６】
更に、図１６、１７は本発明の第３実施形態に係る雄型の紙幣ホルダー（１）と、その使用状態を示しており、これは一定の長さ（Ｌ）と太さ（Ｄ）を備えた金属（好ましくはステンレス鋼線）又は合成樹脂の線材（Ｃ）から成る。
【００３７】
つまり、その線材（Ｃ）が上記遊技機（Ａ）への取付け部（２）となる中間から一旦倒立Ｕ字型に半折りされて、その一対のほぼ平行な切り離し先端側が引続き約１周回分だけ渦巻き状に巻き曲げられることにより、対称な渦型室（３ｆ）（３ｒ）を形作っている。
【００３８】
しかも、その巻き曲げ途中と上記切り離し先端側との一定長さ分だけオーバーラップする部分は互いに密着することなく、何れも上記渦型室（３ｆ）（３ｒ）への紙幣差し入れ口（４ｆ）（４ｒ）として、やはり一定の奥行（Ｓ）を保つ開口状態にあり、ここから差し入れられた紙幣（Ｐ）が自づと巻き戻ろうとする復元張力によって、上記渦型室（３ｆ）（３ｒ）の内周面へ圧着状態に仮り止め保持されるようになっている。
【００３９】
尚、上記線材（Ｃ）の中間を占める取付け部（２）は、図例のような接着板（１７）によって遊技機（Ａ）の前壁面（９）へ直接に、又は上記ビス（１３）や吸着盤（１２）、マグネット（１４）などの固定具を介して、その遊技機（Ａ）の前壁面（９）へ間接的に取り付け固定すれば良い。
【００４０】
図１８〜２１は本発明の第４実施形態に係る言わば雌型の紙幣ホルダー（１）と、その使用状態を示している。
【００４１】
この雌型の紙幣ホルダー（１）は合成樹脂又は軽合金の成形ブロック（Ｂ）から成り、これには図２０のような側面から見た時、その紙幣差し入れ口（４）から内奥部に向かって約１周回分だけ連続的に渦巻く形態の渦型室（３）が穿設されている。
【００４２】
しかも、その遊技機（Ａ）への取付け部（２）は上記成形ブロック（Ｂ）から一体的に張り出されており、遊技機（Ａ）の前壁面（９）へ上記第１実施形態と同様に、両面接着テープ（８）やビス（１３）、吸着盤（１２）、マグネット（１４）などの固定具を介して、取り付け固定されることとなる。
【００４３】
このような第４実施形態の紙幣ホルダー（１）は合成樹脂射出成形用や軽合金鋳造用の２つ割り金型や、その合成樹脂又は軽合金の押出成形金型などを用いて、上記遊技機（Ａ）への取付け部（２）も含む全体を一体成形することができる。つまり、上記渦型室（３）としてはその紙幣差し入れ口（４）の入口部と直交する関係方向（言わば横方向）が、開口する状態に放置されてもさしつかえない。
【００４４】
図１９、２０では上記紙幣ホルダー（１）の成形ブロック（Ｂ）を遊技機（Ａ）の前壁面（９）へ、その紙幣差し入れ口（４）が前向く姿勢状態に取り付け固定しており、ここから紙幣（Ｐ）の適当な枚数を差し入れると、その紙幣（Ｐ）は図２１のように上記第１〜３実施形態と同じく、渦型室（３）内へ進行する程渦巻き状に巻き曲げられ、その自づと巻き戻る復元張力によって、上記渦型室（３）の内周面へ圧着状態に仮り止め保持されることとなる。
【００４５】
但し、その紙幣ホルダー（１）から紙幣（Ｐ）の脱落するおそれはないため、これを上記第１実施形態と同様に、その紙幣差し入れ口（４）が上向きや横向き、下向きなどの姿勢状態として取り付け固定しても良く、殊更遊技機（Ａ）の前壁面（９）へ離脱不能に埋め込み一体化して、その前壁面（９）と紙幣ホルダー（１）との面一状態に保つことが望ましい。
【００４６】
尚、図１６〜２１の第３、４実施形態におけるその他の構成と使用法は上記第１、２実施形態やその各種部分変形実施形態と実質的に同一であるため、その図１６〜２１に図１〜１５との対応符号を記入するにとどめて、その詳細な説明を省略する。
【００４７】
【発明の効果】
以上のように、本発明に係る遊技機用の紙幣ホルダーでは、その構成上一定長さ（Ｌ）の金属帯板（Ｍ）を、その遊技機（Ａ）への取付け部（２）となる切り離し基端側から切り離し先端側に向かって、約１周回分だけ渦巻き状に巻き曲げることにより、その巻き曲げ途中と切り離し先端側とのオーバーラップ部分が紙幣差し入れ口（４）となる渦型室（３）を形作り、
【００４８】
上記紙幣差し入れ口（４）から渦型室（３）内へ差し入れた紙幣（Ｐ）を、その自づと巻き戻る復元張力によって渦型室（３）の内周面へ仮り止め保持するように定めてあるため、冒頭に述べた従来技術の課題を悉く改良できる効果がある。
【００４９】
即ち、本発明の上記構成によれば、その紙幣ホルダー（１）の取付け部（２）をスロットマシンやパチンコ機などの遊技機（Ａ）における遊技中の視界に入る個所へ取り付け固定して、その紙幣差し入れ口（４）から渦型室（３）内へ差し入れた紙幣（Ｐ）を、自づと巻き戻ろうとする復元張力により、その渦型室（３）の内周面へ圧着状態に仮り止め保持することができ、不慮に脱落するおそれがない。
【００５０】
その結果、遊技者としては安心して、遊技に神経を集中することができ、又上記紙幣ホルダー（１）をその紙幣差し入れ口（４）が上向く姿勢状態のみならず、横向きや下向きなどの常に最適な姿勢状態として、仕様の異なる各種遊技機（Ａ）へ汎用的に取り付け使用し得る効果がある。
【００５１】
又、上記紙幣差し入れ口（４）から差し入れられた紙幣（Ｐ）は、その渦型室（３）内へ進行する連れて、自づと滑らかな渦巻き状に巻き曲げられる関係上、特にその複数枚を先端が均一に揃った札束として差し入れた場合には、残る末端が最も径大に巻き曲げられた外側の紙幣（Ｐ１）から、最も径小に巻き曲げられた内側の紙幣（Ｐ２）へと、順次長く変化した整列状態のもとに派出することとなる。
【００５２】
そのため、遊技者としては片手の指先により、その最も長く派出した内側の紙幣（Ｐ２）から順次１枚づつ剥離する如く、上記紙幣（Ｐ）をすばやく正確に引き出すことができ、例えばスロットマシンの遊技中におけるメダルの追加購入を、タイミング良く便利に行なえるのであり、残余の紙幣（Ｐ）が遊技者の足元周辺へ散乱するおそれはない。
【００５３】
更に、最も内側から紙幣（Ｐ２）を追加的に差し入れて、その紙幣ホルダー（１）による仮り止め状態に保持することもできる一方、最も径大に巻き曲げられた外側の紙幣（Ｐ１）を引き出せば、残余の紙幣（Ｐ）か全部一挙に引き出されることになるため、遊技終了時の持ち帰りにも著しく便利である。
【００５４】
そして、このような諸効果は請求項２〜４の構成を採用するも、ほぼ同等に達成することができる。
【図面の簡単な説明】
【図１】本発明に係る紙幣ホルダーの第１実施形態を示す斜面図である。
【図２】図１の正面図である。
【図３】図２の側面図である。
【図４】図２の４−４線断面図である。
【図５】紙幣ホルダーの展開状態を示す正面図である。
【図６】図５の６−６線断面図である。
【図７】紙幣ホルダーを遊技機に取り付けた状態の正面図である。
【図８】図７の側面図である。
【図９】図７の９−９線に沿う拡大断面図であって、使用状態を示す。
【図１０】図９の正面図である。
【図１１】本発明の第２実施形態を示す斜面図である。
【図１２】紙幣ホルダーの第１部分変形実施形態を示す図９に対応する側断面図である。
【図１３】紙幣ホルダーの第２部分変形実施形態を示す図９に対応する側断面図である。
【図１４】紙幣ホルダーの第３部分変形実施形態を示す図９に対応する側断面図である。
【図１５】紙幣ホルダーの第４部分変形実施形態を示す図９に対応する側断面図である。
【図１６】本発明の第３実施形態を示す斜面図である。
【図１７】図１６の側面図である。
【図１８】本発明の第４実施形態を示す斜面図である。
【図１９】図１８の紙幣ホルダーを遊技機に取り付けた状態の正面図である。
【図２０】図１９の２０−２０線に沿う拡大断面図である。
【図２１】使用状態を示す図２０に対応する側断面図である。
【符号の説明】
（１）・紙幣ホルダー
（２）・取付け部
（３）・渦型室
（３ｆ）（３ｒ）・渦型室
（４）・紙幣差し入れ口
（４ｆ）（４ｒ）・紙幣差し入れ口
（５ａ）・径大な円弧面
（５ｂ）・径小な円弧面
（８）・両面接着テープ
（９）・遊技機の前壁面
（１２）・吸着盤
（１３）・ビス
（１４）・マグネット
（１５）・ハンガーフック
（１６）・受け入れスリット
（１７）・接着板
（Ａ）・遊技機
（Ｂ）・成形ブロック
（Ｃ）・線材
（Ｍ）・金属帯板
（Ｐ）・紙幣
（Ｐ１）・最も外側の紙幣
（Ｐ２）・最も内側の紙幣
（Ｆ）・間隔
（Ｓ）・開口奥行
【図１】
2004187960.tif 000003
【図２】
2004187960.tif 000004
【図３】
2004187960.tif 000005
【図４】
2004187960.tif 000006
【図５】
2004187960.tif 000007
【図６】
2004187960.tif 000008
【図７】
2004187960.tif 000009
【図８】
2004187960.tif 000010
【図９】
2004187960.tif 000011
【図１０】
2004187960.tif 000012
【図１１】
2004187960.tif 000013
【図１２】
2004187960.tif 000014
【図１３】
2004187960.tif 000015
【図１４】
2004187960.tif 000016
【図１５】
2004187960.tif 000017
【図１６】
2004187960.tif 000018
【図１７】
2004187960.tif 000019
【図１８】
2004187960.tif 000020
【図１９】
2004187960.tif 000021
【図２０】
2004187960.tif 000022
【図２１】
2004187960.tif 000023